(57)【要約】【課題】  本発明が解決しようとする課題は、医用診断装置による撮影に係るデータを無線通信によって送受信する場合において、データの取り違えの可能性を低減できる医用診断装置を提供することである。【解決手段】  上記課題を解決するために、実施形態の医用診断装置は、撮影によって取得したデータを無線で送信する撮影部と前記データを受信する受信部と、前記受信部によって受信された前記データに基づいて画像を生成する画像生成部と、前記画像生成部によって生成された画像を保存可能な画像保管部と、前記画像生成部によって新しく生成された画像と前記画像保管部に保存されている画像とを比較する画像比較部と、前記画像比較部による比較結果を表示する表示部と、を備える。【選択図】図６
2014124268.tif 000002
【特許請求の範囲】
【請求項１】
撮影によって取得したデータを無線で送信する撮影部と
前記データを受信する受信部と、
前記受信部によって受信された前記データに基づいて画像を生成する画像生成部と、
前記画像生成部によって生成された画像を保存可能な画像保管部と、
前記画像生成部によって新しく生成された画像と前記画像保管部に保存されている画像とを比較する画像比較部と、
前記画像比較部による比較結果を表示する表示部と、
を備えた医用診断装置
【請求項２】
前記新しく生成された画像を前記画像保管部にそのまま保存するか否かを選択可能な保存選択手段を備えた請求項１に記載の医用診断装置。
【請求項３】
前記比較結果は、前記新しく生成された画像が前記画像保管部に保存されている画像のいずれかと一致したことの通知である請求項１又は２に記載の医用診断装置。
【請求項４】
前記受信部が前記データの受信に失敗したとき、前記撮影部に前記データの再送信を指示する再送信指示送信部を備え、
前記撮影部は、再送信指示受信部を備え、前記データを再送信する請求項１乃至３のうちいずれか一つに記載の医用診断装置。
【請求項５】
撮影によって取得したデータに基づいて画像を生成する画像生成部を有し、前記画像を無線で送信する撮影部と、
前記画像を受信する受信部と、
前記受信部によって受信された前記画像を保存可能な画像保管部と、
前記受信部によって新しく受信された画像と前記画像保管部に保存されている画像とを比較する画像比較部と、
前記画像比較部による比較結果を表示する表示部と、
を備えた医用診断装置。
【請求項６】
前記新しく受信された画像を前記画像保管部にそのまま保存するか否かを選択可能な保存選択手段を備えた請求項５に記載の医用診断装置。
【請求項７】
前記比較結果は、前記新しく受信された画像が前記画像保管部に保存されている画像のいずれかと一致したことの通知である請求項５又は６に記載の医用診断装置。
【請求項８】
前記受信部が前記画像の受信に失敗したとき、前記撮影部に前記画像の再送信を指示する再送信指示送信部を備え、
前記撮影部は、再送信指示受信部を備え、前記画像を再送信する請求項５乃至７のうちいずれか一つに記載の医用診断装置。
【発明の詳細な説明】
【技術分野】
【０００１】
本発明の実施形態は、医用診断装置に関する。
【背景技術】
【０００２】
近年、無線通信技術の発達に伴い、医用診断装置においても無線通信によるデータの送受信が行われている。例えば、一般Ｘ線撮影装置において、ＦＰＤ（Ｆｌａｔ  Ｐａｎｅｌ  Ｄｅｔｅｃｔｏｒ）内のバッファが一時的に記憶しているＸ線の検出データを、ＷｉＦｉ（登録商標）などの無線通信によって、ＦＰＤから離れた場所に位置する画像生成装置に送信する技術がある。この技術において画像生成装置は、受信した検出データに基づいて画像を生成し、その画像を例えば画像生成装置に隣接するディスプレイに表示させる。オペレータは、ディスプレイに表示された画像を目視することで、所望する画像かどうかを確認する。表示された画像が所望する画像であれば、ディスプレイに設けられたタッチパネルなどの操作手段を介して、画像生成装置に設けられたハードディスクなどの記憶装置にその画像を保存する。
【０００３】
また、上記技術では、検出データの送受信中に無線通信が不安定になった場合、検出データが送受信されないことがある。この場合、オペレータは、上記操作手段を介して、検出データの再送信をＦＰＤに要求することになる。上記要求を受けたＦＰＤは、バッファに保管されている検出データを画像生成装置へ再度送信する。
【先行技術文献】
【特許文献】
【０００４】
【特許文献１】特開２００８−１３４０５７号公報
【発明の概要】
【発明が解決しようとする課題】
【０００５】
しかしながら、上記技術では、ＦＰＤ内のバッファに最新の撮影に係る検出データだけでなく過去の撮影に係る検出データが蓄積されている場合、誤ってＦＰＤが過去の撮影に係る検出データを画像生成装置に送信してしまう可能性がある。より具体的に説明すると、例えば連続して２回の撮影を行った場合、最新の撮影である２回目の撮影に係る検出データではなく、過去の撮影である１回目の撮影に係る検出データをＦＰＤが画像生成装置に送信することが考えられる。このような場合、画像生成装置が受信した検出データが、最新の撮影に係る検出データであるという判断は、オペレータにのみ依存することになってしまう。
【０００６】
本発明が解決しようとする課題は、医用診断装置による撮影に係るデータを無線通信によって送受信する場合において、データの取り違えの可能性を低減できる医用診断装置を提供することである。
【課題を解決するための手段】
【０００７】
上記課題を解決するために、実施形態の医用診断装置は、撮影によって取得したデータを無線で送信する撮影部と前記データを受信する受信部と、前記受信部によって受信された前記データに基づいて画像を生成する画像生成部と、前記画像生成部によって生成された画像を保存可能な画像保管部と、前記画像生成部によって新しく生成された画像と前記画像保管部に保存されている画像とを比較する画像比較部と、前記画像比較部による比較結果を表示する表示部と、を備える。
【図面の簡単な説明】
【０００８】
【図１】本実施形態における一般Ｘ線撮影装置の斜視図。
【図２】本実施形態における一般Ｘ線撮影装置の側面図。
【図３】本実施形態におけるブロック図。
【図４】本実施形態における再取得ダイアログの概略図。
【図５】本実施形態における警告ダイアログの概略図。
【図６】本実施形態におけるフロー図
【発明を実施するための形態】
【０００９】
以下、本発明の実施形態について図面を参照しながら説明する。
【００１０】
本実施形態における医用診断装置は例えば一般Ｘ線撮影装置である。以下、一般Ｘ線撮影装置の構成について簡単に説明する。図１は、本実施形態における一般Ｘ線撮影装置の撮影部１の斜視図である。本実施形態における一般Ｘ線撮影装置の撮影部１は、Ｘ線照射部２、基台部３、伸縮部４、第一のレール５、第二のレール６、撮影台７、ＦＰＤ８、操作パネル９を備える。
【００１１】
第一のレール５は、第二のレール６を矢印ａの方向に移動可能に支持する。第二のレール６は、基台部３を矢印ｂの方向に移動可能に支持する。基台部３は、伸縮部４を矢印Ｃの方向に回動可能なように支持する。伸縮部４は、Ｘ線照射部２を矢印ｄの方向に上下動可能なように支持し、Ｘ線照射部２を矢印ｅ及び矢印ｆの方向に回動可能なように支持する。第二のレール６、基台部３、伸縮部４、Ｘ線照射部２の移動及び回動は、例えばオペレータが手動で行う。
【００１２】
撮影台７は、図１に示すように、ＦＰＤ８を外部から挿入可能であり、ＦＰＤを矢印ｇの方向に移動可能に支持する。
【００１３】
図２は、本実施形態における撮影部１の側面図である。Ｘ線照射部２から照射されたＸ線は患者Ｐを透過し、ＦＰＤ８によって検出される。なお、図２における点線で囲まれた範囲（照射範囲１０１）はＸ線が照射される範囲であり、照射範囲１０１は後述するＸ線絞りによって変化する。また、Ｘ線照射部２で照射され患者Ｐを透過したＸ線がＦＰＤ８によって検出されるように、通常、ＦＰＤ８はＸ線照射部２の真下に位置される。
【００１４】
図３は本実施形態における一般Ｘ線撮影装置のブロック図である。本実施形態における一般Ｘ線撮影装置は、図１に示した撮影部１の他にコンソール１０を有し、コンソール１０は、画像処理部１１、表示部１２、操作部１３、画像比較部１４、ダイアログ生成部１５を備える。なお、撮影部１は、撮影時において外部にＸ線が漏れないように専用の撮影室内に設置されており、コンソール１０は撮影時においてオペレータが被曝しないように撮影室外に設置されている。
【００１５】
Ｘ線照射部２は図示しないＸ線制御部、図示しないＸ線管、図示しないＸ線絞りを有する。Ｘ線制御部は、Ｘ線管で発生させるＸ線の出力を制御する。Ｘ線絞りは、Ｘ線管で発生したＸ線の照射範囲１０１を調整する。図１における操作パネル９は、例えばタッチパネルであり、オペレータは、操作パネル９に映し出される所定の操作画面を操作することでＸ線の出力設定や照射範囲１０１の調整を行う。なお、Ｘ線の照射は、後述する画像処理部１０における操作部１３に設置されたスイッチを押下することで行われる。
【００１６】
ＦＰＤ８はバッファ３１、Ｘ線検出部３２、検出データ送信部３３、再送信指示受信部３４を備える。Ｘ線検出部３２は、Ｘ線照射部から照射され、患者を透過したＸ線を検出する。検出されたＸ線はデジタル信号に変換され、検出データとしてＦＰＤ８内部に設置されたバッファ３１に一時的に保管される。検出データ送信部３３は、バッファ３１内に一時的に保管された検出データをＷｉＦｉ（登録商標）などの無線通信を利用して画像処理部１１に自動送信する。また、検出データ送信部３３は、再送信指示受信部３４が後述する画像処理部１１の再送信指示送信部３８から検出データの再送信の指示を受信すると、バッファ３１内に一時的に保管された検出データを、ＷｉＦｉ（登録商標）などの無線通信を利用して画像処理部１１に送信する。
【００１７】
画像処理部１１は、検出データ受信部３５、画像生成部３６、画像保管部３７、再送信指示送信部３８、を備える。検出データ受信部３５は、ＦＰＤ８から送信された検出データを受信する。画像生成部３６は検出データ受信部３５が受信した検出データに基づいて画像を生成する。新しく生成された画像は、表示部１２に自動的に表示される。画像保管部３７は、操作部１３を介したオペレータの指示に従って新しく生成された画像を保存する。Ｘ線の照射が終了してから所定の時間が経過しても検出データ受信部３５が検出データを受信していない場合、画像処理部１１は、後述するダイアログ生成部１５に対して、検出データを再取得する旨をオペレータに通知するためのダイアログ（再取得ダイアログ）を生成するように指示する。後述するダイアログ生成部１５によって生成された再取得ダイアログが表示部１２に表示されると、再送信指示送信部３８は、検出データの再送信指示をＦＰＤ８に送信する。なお、上記した所定の時間は、例えばオペレータが操作部１３を介して、表示部１２に表示される所定の操作画面に数値を入力することで設定される。
【００１８】
画像比較部１４は、画像保管部３７に保存されている全ての画像と新しく生成された画像とを、例えばバイナリチェックによって比較する。画像比較部１４は、新しく生成された画像が画像保管部３７に保存されている画像のいずれかと一致した場合、画像比較部１４による比較結果をオペレータに通知するためのダイアログ（警告ダイアログ）を生成するようにダイアログ生成部１５に指示する。
【００１９】
ダイアログ生成部１５は、画像処理部１１からの指示に従って、再取得ダイアログを生成し、生成した再取得ダイアログを表示部１２に表示させる。また、画像比較部１４からの指示に従って警告ダイアログを生成し、生成した警告ダイアログを表示部１２に表示させる。
【００２０】
表示部１２は、新しく生成された画像の他に、再取得ダイアログと警告ダイアログを表示する。表示部１２は、新しく生成された画像を画像保管部３７に保存するか否かの選択肢（「保存ボタン」、「写損ボタン」）と所定の操作画面を表示する。表示部１２は、操作部１３を介したオペレータの指示に従って、画像保管部３７に保存されている画像を表示する。
【００２１】
図４は表示部１２に表示される再取得ダイアログの概略図である。再取得ダイアログは、メッセージ欄２３を有する。メッセージ欄には、図４に示されるように、検出データを取得できなかった旨と、再取得を行う旨のメッセージが表示される。
【００２２】
図５は表示部１２に表示される警告ダイアログの概略図である。警告ダイアログはメッセージ欄２４を有する。メッセージ欄２４には、後述する画像比較部１４による比較の結果、新しく生成された画像が画像保管部３７に保存されている画像のいずれかと一致したという旨のメッセージが表示される。
【００２３】
オペレータが操作部１３を介して前述の「保存ボタン」を選択すると、画像処理部１１は新しく生成された画像をそのまま画像保管部３７に保存する。一方、オペレータが操作部１３を介して前述の「写損ボタン」を選択すると、表示部１２に所定の操作画面として写損理由を書き込むメモ欄が表示される。オペレータが操作部１３を介して写損理由を当該メモ欄に入力する。写損理由の入力が完了すると、新しく生成された画像は、オペレータが当該メモ欄に入力したメモと共に、写損扱いのデータとして、画像保管部３７に保存される。
【００２４】
前述したように、警告ダイアログが表示されるということは、新しく生成された画像が画像保管部３７に保存されている画像のいずれかと一致したということであるため、オペレータは、新しく生成された画像はＦＰＤ８が誤って送信した過去の撮影に係る検出データに基づいて生成されたものであると判断することができる。一方、警告ダイアログが表示されないということは、新しく生成された画像が画像保管部３７に保存されている全ての画像と一致しなかったということであるため、オペレータは、新しく生成された画像が最新の撮影に係る検出データに基づいて生成されたものであると判断することができる。オペレータは、上記のことを念頭に置き、目視で確認を行った後、新しく生成された画像を保存するか、写損扱いにするかを判断することになる。
【００２５】
操作部１３は、例えばマウスやキーボード、あるいはタッチパネルである。オペレータは、操作部１３を介して保存／写損ボタンの選択や、所定の操作画面への入力を行う。一方で、操作部１３は、前述したようにＸ線の照射を指示するスイッチを有しており、オペレータがこのスイッチを押下することでＸ線の照射が行われる。
【００２６】
図６は本実施形態におけるフロー図である。なお、図６に示すフローは、ＦＰＤ８と画像処理部１１との間で検出データの送受信に失敗した場合のフローである。
【００２７】
ステップＳ１において、１回の撮影に係る画像の生成・保存プロセスを開始する。オペレータは操作部１３のスイッチを押下し、Ｘ線照射部２によるＸ線の照射を行う。照射されたＸ線は患者を透過し、ＦＰＤ８のＸ線検出部３２によって検出される。検出されたＸ線はデジタル信号に変換され、検出データとしてＦＰＤ８内のバッファ３１に一時的に記憶される。保管された検出データは、検出データ送信部３３によって、画像処理部１１の検出データ受信部３５に自動送信される。
【００２８】
ステップ２において、検出データが検出データ受信部３５で受信されなかったため、画像処理部１１は、ダイアログ生成部１５に再取得ダイアログを生成するように指示する。ダイアログ生成部１５は、再取得ダイアログを生成し、生成した再取得ダイアログを表示部１２に表示させる。再取得ダイアログが表示部１２に表示されると、画像処理部１１の再送信指示送信部３８は、ＦＰＤ８の再送信指示受信部３４に対して検出データの再送信を指示する。
【００２９】
ステップＳ３において、画像処理部１１の検出データ受信部３５が、ＦＰＤ８の検出データ送信部３３が再送信した検出データの受信に成功した場合、ステップＳ４に以降する。一方で、Ｓ３において画像処理部１１の検出データ受信部３５が、ＦＰＤ８の検出データ送信部３３が再送信した検出データの受信に失敗した場合、ステップＳ２に移行する。
【００３０】
ステップＳ４において、画像処理部１１の画像生成部３６は、受信した検出データに基づいて画像を生成する。生成された画像は自動的に表示部１２に表示される。
【００３１】
ステップＳ５において、画像比較部１４は、画像処理部１１の画像保管部３７が保存している全ての画像と、表示部１２に表示されている新しく生成された画像を、バイナリチェックなどで比較する。
【００３２】
ステップＳ６において、画像比較部１４による比較結果において、新しく生成された画像が画像保管部３７に保存されている画像のいずれかと一致した場合、画像処理部１１はダイアログ生成部１５に警告ダイアログの生成を指示することでステップＳ７に移行する。一方、新しく生成された画像が画像保管部３７に保存されている全ての画像と一致しなかった場合、ステップＳ８に移行する。
【００３３】
ステップＳ７において、ダイアログ生成部１５は、画像処理部１１の指示に従って生成した警告ダイアログを表示部１２に表示させる。その後、ステップＳ８に移行する。
【００３４】
ステップＳ８において、オペレータは、表示部１２に表示された「保存ボタン」あるいは「写損ボタン」を、操作部１３を介して選択する。オペレータが「保存ボタン」を選択した場合ステップＳ９に移行する。一方、オペレータが「写損ボタン」を選択した場合、表示部１２に所定の操作画面として、写損理由を書き込むメモ欄が表示される。オペレータは、操作部１３を介して写損理由を当該メモ欄に入力する。オペレータによる写損理由の入力が完了すると、新しく生成された画像は、オペレータが当該メモ欄に入力したメモと共に、写損扱いのデータとして、画像保管部３７に保存され、ステップＳ２に移行する。
【００３５】
ステップＳ９において、画像処理部１１は新しく生成された画像をそのまま画像保管部３７に保存する。
【００３６】
ステップＳ１０において、１回の撮影に係る画像の生成・保存プロセスを終了する。
【００３７】
以上の構成によって、本実施形態における一般Ｘ線撮影装置は、無線通信を利用して新たに取得した検出データに基づく画像と過去の撮影に係る画像を比較し、過去の撮影に係る画像と同一でない画像を確実に選択して保存することができる。すなわち、ＦＰＤ８内のバッファ３１が一時的に保管している過去の撮影に係る検出データを画像処理装置１１が誤って取得してしまった場合においても、画像比較部１４による比較に基づく警告ダイアログが表示部１２に表示されるため、従来のように、新しく生成された画像が過去の撮影に係る画像ではないという判断をオペレータにのみ依存するということが無くなる。その結果、保存する画像を取り違える可能性が低減される。
【００３８】
なお、ステップＳ６において、画像比較部１４による比較結果において、新しく生成された画像が画像保管部３７に保存されている画像のいずれかと一致した場合、画像処理部１１はダイアログ生成部１５に警告ダイアログの生成を指示するだけでなく、一致した画像保管部３７に保存されている画像を、新しく生成された画像と一緒に表示部１２で表示させても良い。これによって、機械的な判断だけでなくオペレータの目視による判断も可能となるため、画像を取り違えて保存する可能性が更に低減される。
【００３９】
本実施形態は、撮影部１に画像処理部１１があった場合においても適用できる。その場合、撮影部１がコンソール１０に送信するデータは検出データではなく画像データになる。
【００４０】
また、撮影部１は、撮影を行った日時や撮影時のＸ線の出力などの付帯情報を含むような検出データをコンソール１０に送信しても良い。その場合、画像だけでなく付帯情報も含めて比較する。これによって、より厳密な比較が可能になり、画像を取り違えて保存する可能性が更に低減される。
【００４１】
更に、本実施形態におけるダイアログ生成部１５は、新しく生成された画像が画像保管部３７に保存されている画像の全てと一致しなかった場合、ダイアログを生成しなかったが、新しく生成された画像が画像保管部３７に保存されている画像の全てと一致しなかった旨のメッセージを有するダイアログを生成し、表示部１２に表示させても良い。この場合、オペレータに対する比較結果の周知性が高まることが期待される。
【００４２】
本実施形態では、検出データの再取得が自動的に行われるような仕様について説明したが、当然、オペレータの指示に従って検出データの再取得が行われても良い。その場合、例えば、再取得ダイアログには、メッセージ欄２３以外に、図示しないＹＥＳボタンと図示しないＮＯボタンとが設けられており、オペレータが操作部１３を介してＹＥＳボタンを選択した場合、再送信指示送信部３８は検出データの再送信の指示を再送信指示受信部３４に送信する。逆に、オペレータがＮＯボタンを選択した場合、再送信指示送信３８は検出データの再送信の指示を再送信指示受信部３４に送信しない。
【００４３】
なお、本実施形態は一般Ｘ線撮影装置以外に、無線ＦＰＤを利用したマンモグラフィ装置や、ワイヤレス式の超音波プローブを用いた超音波診断装置といった、無線通信を利用して画像データあるいは画像の基となるデータを通信する医用診断装置であれば十分に適用できる。例えば、超音波診断装置に適用する場合、超音波プローブが受信した反射波に基づくエコー信号のデータを超音波プローブ内のメモリに一時的に保存する。超音波プローブは、メモリに一時的に保存されているエコー信号のデータを無線通信によって超音波診断装置内の画像処理装置に送信する。画像処理装置は受信したエコー信号に基づいて超音波画像を生成し、超音波診断装置内の画像比較装置において生成された画像と過去に診断を行った際の超音波画像とを比較することで、最新の診断に係る超音波診断画像だけを取得することができる。
【００４４】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１・・・撮影部
２・・・Ｘ線照射部
３・・・基台部
４・・・伸縮部
５、６・・・レール
７・・・撮影台
８・・・ＦＰＤ
９・・・操作パネル
１０・・・コンソール
１１・・・画像処理部
１２・・・表示部
１３・・・操作部
１４・・・画像比較部
１５・・・ダイアログ生成部
２３、２４・・・メッセージ欄
３１・・・バッファ
３２・・・Ｘ線検出部
３３・・・検出データ送信部 
３４・・・再送信指示受信部 
３５・・・検出データ受信部
３６・・・画像生成部 
３７・・・画像保管部
３８・・・再送信指示送信部
１０１・・・照射範囲
【図１】
2014124268.tif 000003
【図２】
2014124268.tif 000004
【図３】
2014124268.tif 000005
【図４】
2014124268.tif 000006
【図５】
2014124268.tif 000007
【図６】
2014124268.tif 000008